(57)【要約】 【課題】床鳴りの発生をより一層有効的に防止することができる床の構造を提供する。【解決手段】例えば、根太２と床板３とが予め一体化された床パネル４を用いた床構造において、根太２と大引１との間、及び、隣り合う床パネル４，４の根太２，２の端面間にそれぞれ、クッション材５，５，６が介設されている。また、大引の上に根太無しで厚肉床板が設置された床構造において、隣り合う厚肉床板間にクッション材等が介設されている。【選択図】      図１
2005105626.tif 000002
【特許請求の範囲】
【請求項１】
床板の下面側に備えられた根太と、大引との間に、クッション材が介設されていることを特徴とする床の構造。
【請求項２】
床板の下面側に根太が備えられ、該根太の延びる方向において隣り合う根太端面間にクッション材又は高滑性の薄肉シートが介設されていることを特徴とする床の構造。
【請求項３】
下面側に根太が備えられた隣り合う床板間にクッション材又は高滑性の薄肉シートが介設されていることを特徴とする床の構造。
【請求項４】
前記根太と床板とが、根太と床板とを予め一体化させた床パネルの根太と床板からなる請求項１乃至３のいずれか一に記載の床の構造。
【請求項５】
根太と大引との間にクッション材が介設されると共に、根太の延びる方向において隣り合う根太端面間にクッション材が介設され、かつ、これらクッション材が連続一体物からなることを特徴とする床の構造。
【請求項６】
大引の上に根太無しで厚肉床板が設置された床構造において、大引と床板との間にクッション材が介設されていることを特徴とする床の構造。
【請求項７】
大引の上に根太無しで厚肉床板が設置された床構造において、隣り合う該床板間にクッション材又は高滑性の薄肉シートが介設されていることを特徴とする床の構造。
【請求項８】
大引の上に根太無しで厚肉床板が設置された床構造において、大引と該床板との間にクッション材が介設されると共に、隣り合う該床板間にクッション材が介設され、これらクッション材が連続一体物からなることを特徴とする床の構造。
【発明の詳細な説明】
【技術分野】
【０００１】
本発明は、床鳴り防止のための床構造に関する。
【背景技術】
【０００２】
図４（イ）（ロ）に示すような住宅等の建物の一階の床において、大引５１と根太５２との擦れ音による床鳴りを生じることがあることから、これを防止するために、大引５１と根太５２，５２との間に、図示しないが、高滑性の薄肉シートを介設し、大引５１と根太５２，５２との擦れ音による床鳴りを防止することは、従来より行われている。
【発明の開示】
【発明が解決しようとする課題】
【０００３】
しかし、それにもかかわらず、床鳴りを生じることがあったのである。そこで、その原因を究明するため、本発明者は、種々の調査を行った結果、次のような事実を突き止めた。
【０００４】
即ち、根太５２は、一般に木からなっていて、図４（ハ）に示すように、痩せを起こすことがあり、そのため、根太５２と大引５１との間に隙間５３を生じ、その隙間５３が原因で衝撃音を発することがあり、その衝撃音が床鳴りの原因の一つであったのである。根太５２と大引５１との間には上記のように高滑性のシートが介設されてはいるが、このシートは、非常に薄いものであるため、残念ながら、このような衝撃音の発生を防止するようには機能しないのであった。
【０００５】
更に、擦れ音による床鳴りは、図４（ニ）に示すように、大引５１と根太５２，５２との擦れによって生じていただけでなく、実は、隣り合う床パネル５４，５４の根太５２，５２の端面同士の擦れによって生じることもあったし、隣り合う床パネル５４，５４の床板５５，５５の側面部同士の擦れによって生じることもあったのである。即ち、床パネル５４，５４の設置の施工において、床パネル５４．５４間に間隔をおくような施工をわざわざすることは一般にはなく、そのため、根太５２，５２の端面同士や床板５５，５５の側面部同士に擦れを生じることがあったのである。このことは、図４（ホ）に示すような根太無しで厚肉床板５６，５６を大引５１の上に設置する床構造においても同様に起こり得た。
【０００６】
本発明は、本発明者による上記のような原因究明によってはじめて明らかとなった事実に基づいてなされたもので、床鳴りの発生をより一層有効的に防止することができる床の構造を提供することを課題とする。
【課題を解決するための手段】
【０００７】
上記の課題は、床板の下面側に備えられた根太と、大引との間に、クッション材が介設されていることを特徴とする第１の床構造によって解決される。
【０００８】
この床構造では、根太の痩せあるいはなんらかの原因でできた根太と大引との間の隙間によって生じる衝撃音の発生がクッション材のクッション作用によって防がれ、根太と大引との間の隙間に起因して生じる床鳴りの発生を有効的に防ぐことができる。
【０００９】
また、上記の課題は、床板の下面側に根太が備えられ、該根太の延びる方向において隣り合う根太端面間にクッション材又は高滑性の薄肉シートが介設されていることを特徴とする第２の床構造によって解決される。
【００１０】
この床構造では、クッション材の場合、クッション材がそもそもある程度の肉厚寸法を備えているから、根太端面間にクッション材を介設することによって根太端面間に隙間を生じ、そのため、根太の端面同士が擦れ合うということがなく、また、クッション材のクッション性によって、一方の根太の端面とクッション材とが擦れ合うこともないし、もう一方の根太の端面とクッション材とが擦れ合うこともなく、ただクッション材が変形をするだけであり、従って、これらの作用で根太端面間における擦れ音の発生がなくなり、床鳴りの発生を有効的に防ぐことができる。
【００１１】
しかも、クッション材には根太の端面間に隙間を生じさせる作用があるので、根太の端面の一部にのみクッション材を介設しておくだけでも擦れ音の発生を防ぐことができ、例えばそのようにする場合には擦れ音の発生を経済的に防ぐことができる。
【００１２】
また、高滑性の薄肉シートの場合も、根太端面間における擦れ音の発生がなくなり、床鳴りの発生を有効的に防ぐことができる。
【００１３】
更に、上記の課題は、下面側に根太が備えられた隣り合う床板間にクッション材又は高滑性の薄肉シートが介設されていることを特徴とする第３の床構造によって解決される。
【００１４】
この床構造においても、クッション材の場合、クッション材がそもそもある程度の肉厚寸法を備えているから、床板の側面部間にクッション材を介設することによって床板間に隙間を生じ、そのため、床板の側面部同士が擦れ合うということがなく、また、クッション材のクッション性によって、一方の床板の側面部とクッション材とが擦れ合うこともないし、もう一方の床板の側面部とクッション材とが擦れ合うこともなく、ただクッション材が変形をするだけであり、従って、これらの作用で床板間における擦れ音の発生がなくなり、床鳴りの発生を有効的に防ぐことができる。
【００１５】
しかも、クッション材には床板の側面部間に隙間を生じさせる作用があるので、床板の側面部の一部にのみクッション材を介設しておくだけでも擦れ音の発生を防ぐことができ、例えばそのようにする場合には擦れ音の発生を経済的に防ぐことができる。
【００１６】
また、高滑性の薄肉シートの場合も、床板間における擦れ音の発生がなくなり、床鳴りの発生を有効的に防ぐことができる。
【００１７】
上記の第１床構造において、根太と床板とが、根太と床板とを予め一体化させた床パネルの根太と床板からなる場合は、床板と根太との間に隙間を生じさせることなく、根太と大引との間に隙間を生じさせることができて、前記クッション材に、衝撃音による床鳴りの発生を効果的に防がせることができる。
【００１８】
また、第２、第３の床構造において、根太と床板とが、根太と床板とを予め一体化させた床パネルの根太と床板からなる場合は、根太と床板との一体性により、根太の端面間に介設したクッション材で床板の側面部間に隙間を生じさせて、床板の側面部同士の擦れによる床鳴りの発生も同時に防ぐことができるし、床板の側面部間に介設したクッション材で根太の端面間に隙間を生じさせて、根太の端面同士の擦れによる床鳴りの発生も同時に防ぐことができる。
【００１９】
また、上記の課題は、根太と大引との間にクッション材が介設されると共に、根太の延びる方向において隣り合う根太端面間にクッション材が介設され、かつ、これらクッション材が連続一体物からなることを特徴とする床の構造によって解決される。
【００２０】
この床構造では、クッション材によって、根太と大引との間での衝撃音の発生を防ぐことができると共に、根太の端面間での擦れ音の発生を防ぐことができ、しかも、これら音の発生をコスト的に有利に、しかも、施工容易に防ぐことができる。
【００２１】
また、上記の課題は、大引の上に根太無しで厚肉床板が設置された床構造において、大引と床板との間にクッション材が介設されていることを特徴とする床の構造によって解決される。
【００２２】
この床構造では、なんらかの原因でできた厚肉床板と大引との間の隙間によって生じる床鳴り音の発生がクッション材のクッション作用によって防がれ、この隙間に起因して生じる床鳴りの発生を有効的に防ぐことができる。
【００２３】
また、上記の課題は、大引の上に根太無しで厚肉床板が設置された床構造において、隣り合う該床板間にクッション材又は高滑性の薄肉シートが介設されていることを特徴とする床の構造によって解決される。
【００２４】
この床構造においても、クッション材の場合、クッション材がそもそもある程度の肉厚寸法を備えているから、厚肉床板の側面部間にクッション材を介設することによって厚肉床板間に隙間を生じ、そのため、厚肉床板の側面部同士が擦れ合うということがなく、また、クッション材のクッション性によって、一方の厚肉床板の側面部とクッション材とが擦れ合うこともないし、もう一方の厚肉床板の側面部とクッション材とが擦れ合うこともなく、ただクッション材が変形をするだけであり、従って、これらの作用で厚肉床板間における擦れ音の発生がなくなり、床鳴りの発生を有効的に防ぐことができる。
【００２５】
しかも、クッション材には厚肉床板の側面部間に隙間を生じさせる作用があるので、厚肉床板の側面部の一部にのみクッション材を介設しておくだけでも擦れ音の発生を防ぐことができ、例えばそのようにする場合には擦れ音の発生を経済的に防ぐことができる。
【００２６】
また、高滑性の薄肉シートの場合、厚肉床板間における擦れ音の発生がなくなり、床鳴りの発生を有効的に防ぐことができる。
【００２７】
更に、上記の課題は、大引の上に根太無しで厚肉床板が設置された床構造において、大引と該床板との間にクッション材が介設されると共に、隣り合う該床板間にクッション材が介設され、これらクッション材が連続一体物からなることを特徴とする床の構造によって解決される。
【００２８】
この構造では、クッション材によって、厚肉床板と大引との間での衝撃音の発生を防ぐことができると共に、厚肉床板の側面部間での擦れ音の発生を防ぐことができ、しかも、これら音の発生をコスト的に有利に、しかも、施工容易に防ぐことができる。
【発明の効果】
【００２９】
本発明は、以上のとおりのものであるから、床鳴りの発生をより一層有効的に防ぐことができる。
【発明を実施するための最良の形態】
【００３０】
次に、本発明の実施最良形態を建物一階の床構造に適用した場合について、図面に基づき説明する。
【００３１】
図１及び図２に示す各実施形態は、木製等の根太２が用いられている床構造に関するものであり、図３に示す各実施形態は、根太２が無く、床板として厚肉床板１１が用いられている床構造に関するものである。
【００３２】
そして、図１及び図２に示す各実施形態のうち、図１に示す各実施形態は、根太２と床板３とを予め一体化させた床パネル４を用いて形成される床構造に関するものであり、図２に示す各実施形態は、建築の現場において、根太２を設置する施工を行った後、その上に床板３を設置する施工を行うことによって形成される床構造に関するものである。
【００３３】
まず、図１に示す各実施形態の床構造を説明すると、図１（イ−１）（イ−２）に示す床構造は、大引１を挟む両側の各床パネル４，４の根太２，２と大引１との間にそれぞれ、クッション材５，５が介設されると共に、両床パネル４，４の根太２，２の端面部間にもクッション材６が介設され、床板３，３の側面部間にはクッション材は介設されていないものである。
【００３４】
そして、根太２，２の端面間に介設されているクッション材６は、一方の床パネル４の根太２と大引１との間に介設されているクッション材５と連続一体のクッション材８で構成されている。
【００３５】
そして、この連続一体のクッション材８は、予め一方の床パネル４の根太２に取り付けられていて、残るクッション材５も、予めもう一方の床パネル４の根太２に取り付けられていて、これら床パネル４，４を大引１の上に設置することにより、各床パネル４，４の根太２，２と大引１との間、及び、床パネル４，４の根太２，２の端面間に、同時に各クッション材５，５，６が介設されるようになされている。
【００３６】
この床構造では、根太２，２の痩せあるいはなんらかの原因でできた根太２，２と大引１との間の隙間によって生じる衝撃音の発生がクッション材５，５によって防がれる。また、根太２，２端面間における擦れ音の発生は、クッション材６によって防がれる。更に、根太２と床板３とは床パネル４として予め一体化されているので、根太２間のクッション材６によって、床板３，３の側面部間に隙間を生じ、床板３，３の側面部同士の擦れによる床鳴りの発生も同時に防がれる。
【００３７】
特に、大引１と根太２，２との間にクッション材５，５が介設される構造においては、根太２，２の端面間及び床板３，３の側面部間で上下の変位が起こりやすく、根太２，２の端面間に介設されているクッション材６はそのような変位によって生じる根太２，２の端面間及び床板３の端面間での擦れ音による床鳴りの発生を効果的に防ぐことができる。
【００３８】
しかも、クッション材６には根太２，２の端面間に隙間を生じさせる作用があるので、図示するように、根太２，２の端面の一部にのみクッション材６を介設しておくだけで擦れ音の発生を防ぐことができ、擦れ音の発生を経済的に防ぐことができる。
【００３９】
更に、根太２，２の端面間に介設されているクッション材６は、一方の床パネル４の根太２と大引１との間に介設されているクッション材５と連続一体のクッション材８で構成されているので、床鳴りの発生をコスト的に有利にしかも施工容易に防ぐことができる。
【００４０】
また、クッション材５，５，６はいずれも予め床パネル４，４に取り付けられているので、床パネル４，４を設置すると同時にクッション材５，５，６の設置され、クッション材５，５，６の設置を施工容易に行うことができる。
【００４１】
図１（ロ−１）（ロ−２）に示す床構造は、根太２，２と大引１との間にそれぞれクッション材５，５が介設されると共に、床板３，３の側面部間、及び、根太２，２の端面部間にわたすように、それらの間に高滑性の薄肉シート１０が介設されたものである。この場合も、各所における衝撃音や擦れ音を無くして床鳴りの発生を有効的に防ぐことができる。
【００４２】
なお、この場合に、高滑性の薄肉シート１０に代えて、クッション材５，５とは独立したクッション材が用いられてもよく、その場合のクッション材は根太２，２間にのみ介設されていてもよいし、根太２，２間及び床板３，３間にわたるように介設されていてもよいし、あるいは、図１（ハ−１）（ハ−２）に示す床構造のように、床板３，３の側面部間にのみ介設されていてもよい。図１（ハ−１）（ハ−２）に示す床構造においても、根太２と床板３とは床パネル４として予め一体化されているので、床板３間に介設したクッション材６の間隔保持作用によって、根太２，２の端面間の擦れ音の発生を有効的に防ぐことができる。
【００４３】
図２（イ−１）（イ−２）に示す床構造は、大引１と根太２，２間、根太２，２の端面間、及び、床板３，３の側面部間にクッション材５，５，６，７が介設されており、クッション材６とクッション材５とは連続一体のクッション材８で構成されている。図２に示す床構造は、根太２と床板３とが一体化されておらず、このように、根太２，２の端面間、及び、床板３，３の側面部間のそれぞれにクッション材６，７が介設されているとよい。
【００４４】
図２（ロ−１）（ロ−２）に示す床構造は、図２（イ−１）（イ−２）に示す床構造において、一方の根太２と大引１との間のクッション材５、根太２，２の端面間のクッション材６、及び、床板３，３の側面部間のクッション材７を連続一体物のクッション材８で構成している。このように、特に、根太２，２の端面間のクッション材６、及び、床板３，３の側面部間のクッション材７を連続一体物のクッション材で構成することにより、比較的肉薄の床板３，３間へのクッション材の組込みを施工容易に行うことができる。
【００４５】
図２（ハ−１）（ハ−２）に示す床構造は、根太２と床板３とがパネル化されていない点を除いて、図１（ロ−１）（ロ−２）に示す床構造と同じような構造をしている。即ち、根太２，２と大引１との間にそれぞれクッション材５，５が介設されると共に、床板３，３の側面部間、及び、根太２，２の端面部間にわたすように、それらの間に高滑性の薄肉シート１０が介設されたものである。なお、この場合に、高滑性の薄肉シート１０に代えて、クッション材５，５とは独立したクッション材が用いられてもよく、その場合のクッション材は、根太２，２間及び床板３，３間に介設されるようにするとよい。
【００４６】
図３（イ−１）（イ−２）に示す床構造は、大引１の上に根太無しで厚肉床板１１，１１が設置されたもので、隣り合う厚肉床板１１，１１間にクッション材６が介設され、大引１と厚肉床板１１との間にはクッション材は介設されていない。床板３，３間へのクッション材６の介設は、床板３，３が厚肉床板からなっていることにより、介設を施工容易に行うことができる。
【００４７】
この床構造は、大引１と厚肉床板１１，１１との間に隙間を生じるおそれがない場合の構造であり、大引１と厚肉床板１１，１１との間に隙間を生じるおそれがあるような場合には、図３（ロ−１）（ロ−２）や図３（ハ−１）（ハ−２）に示す床構造のように、大引１と厚肉床板１１，１１と間にクッション材５，５を介設するようにするのもよい。その場合には、図３（ロ−１）（ロ−２）に示すように、大引１と厚肉床板１１との間のクッション材５と、厚肉床板１１，１１間のクッション材６とを連続一体物のクッション材８で構成するようにしてもよいし、図３（ハ−１）（ハ−２）に示すように、これらを独立させたものにしてもよい。
【００４８】
以上に、本発明の実施形態を示したが、本発明はこれに限られるものではなく、発明思想を逸脱しない範囲で各種の変更が可能である。例えば、上記の実施形態では、本発明を建物一階の床構造の床に適用した場合を示しているが、階上の床であってもよく、つまり、特許請求の範囲においていう「大引」の語は、広い意味での床梁を意味するものである。また、本発明の床構造は、大引と根太との間、根太の端面間、及び、床板の端面間のうちのいずれか少なくとも一つにクッション材等が介設されたものであればよい。また、大引と厚肉床板との間、及び、厚肉床板間のいずれか一方又は両方にクッション材等が介設されたものであればよい。
【図面の簡単な説明】
【００４９】
【図１】各図は、実施形態の床構造を示す断面側面図である。
【図２】各図は、他の実施形態の床構造を示す断面側面図である。
【図３】各図は、更に他の実施形態の床構造を示す断面側面図である。
【図４】各図は、背景技術の床構造を示す断面側面図である。
【符号の説明】
【００５０】
１…大引
２…根太
３…床板
４…床パネル
５…クッション材
６…クッション材
７…クッション材
８…クッション材
１０…高滑性の薄肉シート
１１…厚肉床板
【図１】
2005105626.tif 000003
【図２】
2005105626.tif 000004
【図３】
2005105626.tif 000005
【図４】
2005105626.tif 000006